(57)【特許請求の範囲】
【請求項１】
特定情報が表現された印刷層である特定情報印刷層が形成されたカード基材と、
前記特定情報印刷層に重ねて形成された第１の接着剤層と、
前記第１の接着剤層に重ねて、前記特定情報印刷層を覆うように形成されたシール基材と、
前記シール基材に重ねて形成された隠蔽層と、
前記隠蔽層に重ねて形成され、前記カード基材を支持するための支持体の所定の位置に形成された第２の接着剤層と、
前記カード基材を支持するための支持体と、を有し、
前記第１の接着剤層の接着強度は、前記第２の接着剤層の接着強度よりも小さいことを特徴とする支持体付カード。
【請求項２】
前記シール基材は、透明または半透明であることを特徴とする請求項１に記載の支持体付カード。
【発明の詳細な説明】
【技術分野】
【０００１】
本発明は、店舗等に陳列するため、吊り下げ台紙等の支持体に貼付されたカードに関する。
【背景技術】
【０００２】
従来、携帯可能な大きさの商品を店舗で販売する際、吊り下げ型の台紙に装着し、台紙ごと吊り下げて陳列することが行われている。利用者は、購入後、吊り下げ型の台紙から商品を分離し、商品を利用することになる。
【０００３】
近年、コンビニエンスストアやスーパーマーケット、家電量販店、百貨店、雑貨店で販売されているギフトカード、例えば、ＰＯＳＡカード（登録商標）等のギフトカードあるいはプリペイドカード（単にカードと呼ぶ）は、カードを印刷された台紙に粘着剤で貼り付けたような構造になっており、目視可能なように店舗内に立てかけられたり、吊り下げられたりして販売されている。
【０００４】
カードを吊り下げ用の台紙に付加して販売するための一形態として、出願人も、吊り下げ用の台紙と一体化した形態のカードを開発している（特許文献１、２参照）。
【先行技術文献】
【特許文献】
【０００５】
【特許文献１】特開２０１２−６６９３４号公報
【特許文献２】特開２０１４−１１７８１６号公報
【発明の概要】
【発明が解決しようとする課題】
【０００６】
しかしながら、上記従来の技術では、一旦カードを台紙等の支持体から剥がしてからカードの隠蔽部分をコインなどで削り取らなければならず、取扱いが煩わしいという問題がある。一方、販売前にカードのみで存在している場合においては、隠蔽部分は、可能な限り隠蔽されていることが好ましい。
【０００７】
そこで、本発明は、カードのみで存在する場合においては、所定の部分を隠蔽しておき、支持体と一体化された後は、カードを支持体から剥がすだけで、隠蔽部分を露出させることが可能な支持体付カードを提供することを課題とする。
【課題を解決するための手段】
【０００８】
上記課題を解決するため、本発明第１の態様では、
特定情報が表現された印刷層である特定情報印刷層が形成されたカード基材と、
前記特定情報印刷層に重ねて形成された第１の接着剤層と、
前記第１の接着剤層に重ねて、前記特定情報印刷層を覆うように形成されたシール基材と、
前記シール基材に重ねて形成された隠蔽層と、
前記隠蔽層に重ねて形成され、前記カード基材を支持するための支持体の所定の位置に形成された第２の接着剤層と、
前記カード基材を支持するための支持体と、
を有することを特徴とする支持体付カードを提供する。
【０００９】
本発明第１の態様によれば、特定情報が表現された印刷層である特定情報印刷層が形成されたカード基材と、特定情報印刷層に重ねて形成された第１の接着剤層と、第１の接着剤層に重ねて、特定情報印刷層を覆うように形成されたシール基材と、シール基材に重ねて形成された隠蔽層と、隠蔽層に重ねて形成され、カード基材を支持するための支持体の所定の位置に形成された第２の接着剤層と、カード基材を支持するための支持体を有するので、カードのみで存在する場合においては、所定の部分を隠蔽しておき、支持体と一体化された後は、カードを支持体から剥がすだけで、隠蔽部分を露出させることが可能となる。
【００１０】
また、本発明第２の態様では、前記第１の接着剤層の接着強度は、前記第２の接着剤層の接着強度よりも小さいことを特徴とする。
【００１１】
本発明第２の態様によれば、カード基材と接着される第１の接着剤層の接着強度が、支持体と接着される第２の接着剤層の接着強度よりも小さいので、カードの支持体からの剥離時に、隠蔽層が支持体側に残り、カード基材に形成された特定情報印刷層が露出することになる。このため、カードを支持体から剥がすだけで、隠蔽部分の情報を露出させることが可能となる。
【００１２】
また、本発明第３の態様では、前記シール基材は、透明または半透明であることを特徴とする。
【００１３】
本発明第３の態様によれば、シール基材が透明または半透明であるので、カードの支持体からの剥離時に、シール基材がカード基材側に残った場合であっても、カード基材に形成された特定情報印刷層を視認することが可能となる。このため、カードを支持体から剥がすだけで、隠蔽部分の情報を露出させることが可能となる。
【発明の効果】
【００１４】
本発明によれば、カードのみで存在する場合においては、所定の部分を隠蔽しておき、支持体と一体化された後は、カードを支持体から剥がすだけで、隠蔽部分を露出させることが可能となる。
【図面の簡単な説明】
【００１５】
【図１】本発明の一実施形態に係る支持体付カードのカード側から見た平面図である。
【図２】本発明の一実施形態に係る支持体付カードの層構成を示す断面図である。
【図３】本発明の一実施形態に係る支持体付カードの製造方法を示すフローチャートである。
【図４】製造時において、カードＫを支持体６に貼付する前の状態を示す平面図である。
【図５】使用時において、カードＫを支持体６から剥離した後の状態を示す平面図である。
【発明を実施するための形態】
【００１６】
以下、本発明の好適な実施形態について、図面を参照して詳細に説明する。
＜１．支持体付カードの構造＞
図１は、本発明の一実施形態に係る支持体付カードのカード側から見た平面図である。図２は、図１のＡ−Ａ線に対応する断面図であり、支持体付カードの層構成を示している。
【００１７】
図１、図２において、Ｋはカード、１はカード基材、２は粘着剤層、３はシール基材、４は隠蔽層、５は接着剤層、６は支持体、６ａは吊り下げ用孔、１０は支持体付カードである。図１の例では、吊り下げ用孔６ａを備えた支持体６にスクラッチカードであるカードＫを貼付した状態を示している。また、支持体６には、「ＳＡＭＰＬＥ」の文字が印刷されているが、その他文字や絵柄等様々な情報を印刷することが可能である。カードＫ（カード基材１）のサイズは、適宜設定することができるが、長辺の長さ（図面左右方向）が８５．６ｍｍ、短辺の長さ（図面上下方向）が５４．０ｍｍであることが一般的である。
【００１８】
図２においては、説明の便宜上、支持体付カード１０のサイズ（図面左右方向）に比べて各層の厚さが大きく描かれているが、支持体付カード１０はカード状またはシート状であるため、現実には、各層は、より薄く形成されている。例えば、図２における幅（図面左右方向）が、数ｃｍ〜数十ｃｍであるのに対して、厚さ（図面上下方向）は、数十μｍ〜数百μｍ程度である。図２に示す層構成において、現実には、上下の区別はないが、説明の便宜上、図面上側を上層、図面下側を下層と表現することにする。したがって、図２においては、最上層がカード基材１、最下層が支持体６となっている。
【００１９】
カード基材１の一方の面（図２における図面下側の面）には、所定の領域に、特定情報が表現された印刷層である特定情報印刷層（図示省略）が形成されている。特定情報としては、例えば、各カードごとに異なる個別情報を用いることができる。特定情報印刷層を隠蔽層４で覆っておき、隠蔽層４を削り取ることにより、スクラッチくじなどに用いるスクラッチカードを実現することができる。
【００２０】
支持体付カード１０においては、特定情報印刷層に重ねて、下層に第１の接着剤層である粘着剤層２が形成されている。特に、本実施形態では、粘着剤層２は、特定情報印刷層を覆うようにして形成されている。すなわち、粘着剤層２の面積が、特定情報印刷層の面積よりも大きくなるように形成されている。この粘着剤層２は、隠蔽シールの一部として、隠蔽層４を含む隠蔽シールをカード基材１側に貼付するために用いられる。
【００２１】
粘着剤層２の下層には、シール基材３が形成されている。また、シール基材３の下層には、隠蔽層４が形成されている。隠蔽層４は、特定情報印刷層を隠蔽し、外部からの視認を困難にするための層である。さらに、隠蔽層４の下層である最下層には、第２の接着剤層である接着剤層５が形成されている。
【００２２】
粘着剤層２、シール基材３、隠蔽層４、接着剤層５は、特定情報印刷層が形成された範囲を全て含む範囲で形成される。粘着剤層２、シール基材３、隠蔽層４、接着剤層５は、特定情報印刷層が形成された範囲を含む最小限の面積で形成されていればよい。粘着剤層２については、必ずしも特定情報印刷層が形成された範囲を全て含む範囲で形成する必要はないが、シール基材３および隠蔽層４については、特定情報印刷層を隠蔽するため、特定情報印刷層が形成された範囲を全て含む範囲で形成する必要がある。
【００２３】
また、図１の例では、カードＫが存在する箇所以外では、「ＳＡＭＰＬＥ」の文字以外を無地（白紙）の状態とし、絵柄等を省略しているが、必要に応じて印刷等により支持体６の表面に任意の情報や絵柄を形成しておいてもよい。例えば、支持体６の表面には、カードＫを取り外すよう促すメッセージ等を印刷しておくことができる。カード基材１の表面への絵柄等の印刷は、オフセット印刷、グラビア印刷、スクリーン印刷、インクジェット印刷等の公知の印刷法で行うことができる。
【００２４】
＜２．各層の構成＞
カード基材１は、カードＫ本体としての役割を果たすものである。カード基材１としては、用途に応じて種々の材料が適用できる。例えば、天然繊維紙、コート紙、トレーシングペーパー、プラスチックフィルム等のいずれでもよく、用途によって適宜選択すればよい。プラスチックフィルムの場合は、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。カード基材１は、これら樹脂を主成分とする共重合樹脂、または、混合体（アロイを含む）、若しくは複数層からなる積層体であっても良い。
【００２５】
カード基材１は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００２６】
粘着剤層２は、隠蔽シールの一部としてカード基材１側にシール基材３を貼付するための層である。粘着剤層２としては、アクリル系粘着剤が最も好ましいが、天然ゴム系粘着剤、合成ゴム系粘着剤、シリコーンゴム系粘着剤等でも良い。粘着剤層２を形成するための粘着剤の塗布量・塗布厚は特に限定されないが、好ましくは、塗布量は０．１ｇ／ｍ2〜５０ｇ／ｍ2であり、塗布厚は０．１μｍ〜５０μｍである。隠蔽シールを貼付し易くするため、粘着性を有している。
【００２７】
シール基材３は、隠蔽層４を備えた隠蔽シールの基材となるものである。シール基材３は、カード基材１を支持体６に貼付するまでの間、所定の領域における特定情報印刷層を保護する保護層としての機能も有している。シール基材３としては、耐熱性、機械的強度、耐溶剤性等を有するものであれば、用途に応じて種々の材料を適用することができる。例えば、ポリエチレンテレフタレート、ポリブチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。シール基材３は、これら樹脂を主成分とする共重合樹脂、または、混合体（アロイを含む）、若しくは複数層からなる積層体であっても良い。通常は、ポリエチレンテレフタレート、ポリエチレンナフタレートなどのポリエステル系のフィルムが、耐熱性、機械的強度が高いため、好適に用いられる。
【００２８】
また、シール基材３は、延伸フィルムでも、未延伸フィルムでも良いが、強度を向上させる目的で、一軸方向または二軸方向に延伸したフィルムが好ましい。シール基材３は、これら樹脂の少なくとも１層からなるフィルム、シート、ボード状として使用する。シール基材３の厚さは、通常、２．５μｍ〜５０μｍ程度とすることができるが、好ましくは２．５μｍ〜１２μｍ、より好ましくは４μｍ〜６μｍである。シール基材３は、透明または半透明であることが好ましい。透明または半透明である場合には、カードＫが支持体６から剥離された際、シール基材３がカードＫ側に残ったとしても、特定情報を視認することができる。したがって、シール基材３が「透明または半透明である」とは、特定情報が視認可能な程度であれば、足りる。
【００２９】
シール基材３は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００３０】
隠蔽層４は、接着剤により剥離することが可能な層であって、カード基材１に設けられた特定情報印刷層を隠蔽するための層である。隠蔽層４は、隠蔽性の高いインキを印刷することにより形成される。具体的には、隠蔽性の高い顔料が、比較的多量にバインダ樹脂中に分散したものであって、必要に応じて、着色の目的で、染料もしくは通常の顔料が配合されたインキであってもよい。
【００３１】
隠蔽層４を構成する隠蔽性の高い顔料としては、銀粉末、アルミニウム粉末、黄銅粉末、もしくは銅粉末等の金属系粉末、炭酸カルシウム、酸化亜鉛、アルミナ、二酸化チタン、シリカ、硫酸バリウム、タルク、カオリン、クレー、カーボンブラック、もしくは樹脂粉末等を使用することができる。また、隠蔽層４を構成するバインダ樹脂としては、上記の隠蔽性の高い顔料を保持し、基材との接着性の良好なものを選択して用い、例えば、天然ゴム、もしくは塩酸ゴム等のゴム系天然樹脂、ポリブタジエン、スチレン−ブタジエン共重合体、アクリロ二トリル−ブタジエン共重合体、ポリイソプレン、ポリクロロプレン、アクリル、塩化ビニル、もしくは塩化ビニル−酢酸ビニル共重合体等を使用する。
【００３２】
例えば、金属粉をインキ化した銀インキなどをオフセット印刷、グラビア印刷、シルクスクリーン印刷などの公知の印刷法で形成すればよく、隠蔽性をあげるために複数回印刷してもよい。本実施形態で用いる隠蔽性のあるインキとしては、接着剤により剥離される性質をもつタイプのものが好ましい。隠蔽層４を形成するための塗布量・塗布厚は特に限定されないが、好ましくは、塗布厚は０．１μｍ〜１０μｍである。
【００３３】
接着剤層５は、支持体６側にカードＫを貼付するための層である。接着剤層５としては、例えば、ウレタン系、アクリル系、酢酸ビニル系、エチレン−酢酸ビニル共重合体、塩化ビニル−酢酸ビニル共重合体、セルロース樹脂等の熱可塑性樹脂、またはこれらの混合物からなる樹脂を使用することができる。接着剤の塗布は、フレキソ法、グラビア法などの公知の印刷法又はコーティング法によって、厚み０．１〜５０μｍ程度に塗布し、貼り合わせ後に、必要に応じて乾燥させる。
【００３４】
支持体６は、カードＫを支持するための支持体であり、いわゆる台紙としての役割を果たすものである。支持体６としては、用途に応じて種々の材料が適用できる。例えば、天然繊維紙、コート紙、トレーシングペーパー、プラスチックフィルム、ガラス、セラミックス等のいずれでもよく、用途によって適宜選択すればよい。プラスチックフィルムの場合は、ポリエチレンテレフタレート、ポリエチレンナフタレートなどのポリエステル系樹脂、ナイロン６などのポリアミド系樹脂、ポリエチレン、ポリプロピレン、ポリメチルペンテンなどのポリオレフィン系樹脂、ポリ塩化ビニルなどのビニル系樹脂、ポリメチルメタアクリレートなどのアクリル系樹脂、ポリカーボネート、セロファン、セルロースアセテートなどのセルロース系フィルムなどが例示できる。支持体６は、これら樹脂を主成分とする共重合樹脂、または、混合体（アロイを含む）、若しくは複数層からなる積層体であっても良い。
【００３５】
また、支持体６としてプラスチックフィルムを用いる場合は、延伸フィルムでも、未延伸フィルムでも良いが、強度を向上させる目的で、一軸方向または二軸方向に延伸したフィルムが好ましい。支持体６は、これら樹脂の少なくとも１層からなるフィルム、シート、ボード状として使用する。支持体６は、その表面に、コロナ放電処理、プラズマ処理、オゾン処理、フレーム処理、プライマー（アンカーコート、接着促進剤、易接着剤とも呼ばれる）塗布処理、予熱処理、除塵埃処理、蒸着処理、アルカリ処理、などの易接着処理を行ってもよい。また、必要に応じて、充填剤、可塑剤、着色剤、帯電防止剤などの添加剤を加えても良い。
【００３６】
＜３．支持体付カードの製造＞
次に、本実施形態に係る支持体付カードの製造方法について説明する。図３は、本発明の一実施形態に係る支持体付カードの製造方法を示すフローチャートである。まず、カード基材１に特定情報印刷層を形成する（ステップＳ１）。特定情報印刷層の形成は、オフセット印刷、グラビア印刷、スクリーン印刷、インクジェット印刷等の公知の印刷法により行うことができる。
【００３７】
次に、ステップＳ２およびステップＳ３において、粘着剤層２、シール基材３、隠蔽層４からなる隠蔽シールの製造を行う。まず、シール基材３の一方の面に、隠蔽層４を形成する（ステップＳ２）。具体的には、シール基材３の一方の面に、隠蔽性の高い銀インキを、公知の印刷方法もしくは塗布方法により印刷もしくは塗布する。本実施形態では、シルク印刷機を用いてスクリーン印刷法により銀インキをベタ印刷している。
【００３８】
続いて、隠蔽層４が形成された面と反対側のシール基材３の面に、粘着剤層２を形成する（ステップＳ３）。粘着剤層２における粘着剤の塗布量や塗布厚は特に限定されないが、好ましくは、塗布量は０．１ｇ／ｍ2〜５０ｇ／ｍ2であり、塗布厚は０．１μｍ〜５０μｍである。粘着剤の粘度は、１００００ｍＰａ・ｓ〜１０００００ｍＰａ・ｓ程度が好ましい。粘着剤層２の形成のための粘着剤の塗布方法としては、例えば、比較的高速化が可能なグラビア方式やスプレーコート方式、フレキソ方式等によるコーティング等を使用することができる。
【００３９】
次に、シール貼付機を用いて、粘着剤層２、シール基材３、隠蔽層４からなる隠蔽シールを、粘着剤層２をカード基材１側に向けた状態で貼付する（ステップＳ４）。この際、カード基材１上の特定情報印刷層が形成された箇所を覆う位置に位置合わせしながら、隠蔽シールを貼付する。
【００４０】
これにより、カード基材１に形成された特定情報印刷層は、隠蔽層４を備えた隠蔽シールにより隠蔽されることになる。このときのカードＫの隠蔽層４側から見た状態を図４（ａ）に示す。図４（ａ）に示すように、カードＫにおいては、特定情報印刷層を覆うように隠蔽層４が形成されている。この状態で、カードＫが流通しても、特定情報印刷層を外部から視認することはできない。そのため、特定情報が漏洩することを防止することができる。
【００４１】
また、図４の例では、粘着剤層２、シール基材３、隠蔽層４、接着剤層５が形成されている箇所以外を無地（白紙）の状態とし、絵柄等を省略しているが、必要に応じて印刷等によりカード基材１の表面に任意の情報や絵柄を形成しておいてもよい。例えば、カード基材１の支持体６と対向する面には、一次元コードや二次元コード等のコード情報を印刷しておくことができる。一次元コードとしてはバーコード等を用いることができ、二次元コードとしてはＱＲコード（登録商標）等を用いることができる。カード基材１への情報の印刷は、オフセット印刷、グラビア印刷、スクリーン印刷、インクジェット印刷等の公知の印刷法で行うことができる。
【００４２】
そして、カードＫを支持体６に貼付する（ステップＳ５）。具体的には、まず、支持体６の一方の面の所定の位置に、所定の面積の接着剤層５を形成する。このときの支持体６の接着剤層５側から見た状態を図４（ｂ）に示す。図４（ｂ）に示すように、支持体６においては、カードＫの貼付予定位置に接着剤層５が形成されている。図４（ｂ）の例では、接着剤層５を楕円形状としているが、矩形状を始めとする多角形や円形等、様々な形状であってもよい。
【００４３】
そして、図４に矢印で示したように、カードＫに形成された隠蔽層４を、支持体６の接着剤層５が形成された側に向けた状態で、カードＫを支持体６に貼付する。この際、カードＫの隠蔽層４と支持体６の接着剤層５との平面方向の位置合わせを行いながら、カードＫを貼付する。通常、定められた位置に１．０ｍｍ以内の誤差で貼付されるが、特定情報印刷層が、平面方向において接着剤層５に収まる位置に貼付されるのであれば、多少の位置ズレは許容される。
【００４４】
カードＫを支持体６に貼付した結果、図１、２に示したようなカード基材１、粘着剤層２、シール基材３、隠蔽層４、接着剤層５、支持体６の順に積層された支持体付カード１０が得られる。
【００４５】
＜４．支持体付カードの使用＞
図１、２に示したような支持体付カード１０は、吊り下げ用孔６ａをフックに掛けて吊り下げることにより店舗内に陳列される。陳列された状態では、カードＫの裏面すなわち隠蔽層４が形成された面は視認することができない。支持体付カード１０を店舗で購入した利用者は、カードＫを利用するため、カードＫを支持体６から剥がす。
【００４６】
すると、粘着剤層２の接着強度が、接着剤層５の接着強度よりも弱いため、シール基材３および隠蔽層４は、カードＫ側から分離して、支持体６側に残ることになる。このとき、互いに分離されたカードＫおよび支持体６の状態を図５に示す。隠蔽層４がカードＫから剥離されることにより、図５（ａ）に示すように、カードＫの特定情報印刷層が露出し、特定情報Ｐの視認が可能となる。実際には、粘着剤層２の粘着剤が残ったままとなる場合もあるので、粘着剤層２の形成に用いられる粘着剤は、透明または半透明であることが好ましい。図５（ｂ）に示すように、支持体６の接着剤層５には、隠蔽層４が貼付されたままの状態となる。実際には、隠蔽層４とともに、シール基材３も支持体６側に貼付されたままの状態となる。
【００４７】
以上、本発明の好適な実施形態について説明したが、本発明は、上記実施形態に限定されず、種々の変形が可能である。例えば、上記実施形態では、シール基材３を透明または半透明としたが、カードＫを支持体６から剥離する際に、シール基材３が支持体６側に残るように設計されている場合は、透明または半透明以外の素材で形成するようにしてもよい。
【００４８】
また、上記実施形態では、第１の接着剤層として粘着性を有する粘着剤層２を形成したが、隠蔽シールを貼付する以外の手法でシール基材３および隠蔽層４をカード基材１に貼付する場合は、粘着剤以外の接着剤を用いた接着剤層としてもよい。この場合、その組成については、上記接着剤層５と同様のものを用いることができるが、接着強度については、接着剤層５より小さくなるように調整することが好ましい。
【符号の説明】
【００４９】
１・・・カード基材
２・・・粘着剤層（第１の接着剤層）
３・・・シール基材
４・・・隠蔽層
５・・・接着剤層（第２の接着剤層）
６・・・支持体
６ａ・・・吊り下げ用孔
１０・・・支持体付カード
Ｋ・・・カード
Ｐ・・・特定情報
【図１】
0006596934.tif 000002
【図２】
0006596934.tif 000003
【図３】
0006596934.tif 000004
【図４】
0006596934.tif 000005
【図５】
0006596934.tif 000006